(57)【要約】【課題】当該ポンプ装置に関する情報の容易かつ迅速な入出力を可能とし、これにより故障や修理に際して間違いのない適切な対応が可能な信頼性にすぐれたポンプ装置を提供する。【解決手段】ポンプ装置１に関わる情報を記憶するためのメモリ２２、およびこのメモリ２２と外部機器である端末３０との間の情報入出力用の入出力インタフェース２３からなるＩＣタグ２０、を備えている。【選択図】図１
2007192056.tif 000002
【特許請求の範囲】
【請求項１】
ポンプ装置において、
当該ポンプ装置に関わる情報を記憶するためのメモリ、およびこのメモリと外部機器との間の情報入出力用の入出力インタフェースからなるＩＣタグ、
を備えていることを特徴とするポンプ装置。
【請求項２】
前記ＩＣタグのメモリに記憶される情報は、当該ポンプ装置に使用されている部品に関わり、仕様や互換性を表わす情報であることを特徴とする請求項１に記載のポンプ装置。
【請求項３】
前記ＩＣタグのメモリに記憶される情報は、当該ポンプ装置の分解・組立に関わり、作業の順序およびボルトの締付トルクなどを表わす情報であることを特徴とする請求項１に記載のポンプ装置。
【請求項４】
前記ＩＣタグのメモリに記憶される情報は、当該ポンプ装置の納品日および修理履歴などの情報であることを特徴とする請求項１に記載のポンプ装置。
【請求項５】
前記ＩＣタグのメモリに記憶される情報は、当該ポンプ装置の運転積算時間、運転回数、故障履歴などの情報であり、当該ポンプ装置に使用されている部品の寿命情報として必要に応じて外部出力されることを特徴とする請求項１に記載のポンプ装置。
【請求項６】
前記ＩＣタグは、前記入出力インタフェースと前記外部機器との間の情報の入出力を無線伝送により行う非接触型のＩＣタグであることを特徴とする請求項１に記載のポンプ装置。
【請求項７】
前記ＩＣタグに接続される通信ユニットをさらに備え、この通信ユニットは前記ＩＣタグと管理センタのサーバとの間の情報の伝送を通信ネットワークを介して行うことを特徴とする請求項１に記載のポンプ装置。
【発明の詳細な説明】
【技術分野】
【０００１】
この発明は、給水用のポンプ装置に関する。
【背景技術】
【０００２】
給水用のポンプ装置において、メンテナンスに関する情報は、取扱説明書から入手したり、取扱説明書に記載されていないものについては、その都度、電話などで管理センタに問合せて入手するのが一般的な手法となっている。修理の履歴については、用紙に記録、あるいはパーソナルコンピュータに入力して管理するのが、一般的な手法である。
【０００３】
一方、ポンプ装置の出荷に際し、あらかじめ搭載したメモリ（ＥＰＲＯＭ）に製造番号や出荷先などの管理情報を記憶しておき、そのメモリ内の管理情報を必要に応じて読み出して利用できるようにしたポンプ装置が知られている（例えば、特許文献１）。
【特許文献１】特開２００１−２８７８１０号公報
【発明の開示】
【発明が解決しようとする課題】
【０００４】
ポンプ装置のメンテナンスに関わる情報を現場の作業員が入手する場合、現場の建物等に保管されているはずの取扱説明書を探したり、電話などでいちいち管理センタに問合せをしなければならず、その作業に多くの手間と時間がかかってしまう。間違った情報を入手してしまう可能性も高い。
【０００５】
とくに、ポンプ装置の故障時は、集合住宅であれば全住戸が断水になったり、工場であれば設備の運転が停止して生産に支障をきたしてしまうことから、現場での早急な修理が必要となる。このような緊急を要する状況において、取扱説明書を探したり、管理センタに問合せをすることは、故障への対応として適切でない。
【０００６】
また、用紙に記録あるいはパーソナルコンピュータに入力されている修理の履歴を利用しようとしても、その履歴はポンプ装置が設置されている場所とは異なる場所で管理されることが多い。このため、修理の現場において、作業員が過去における修理の履歴を知ろうとしても、その履歴の入手に時間がかかり、迅速な修理が困難である。履歴を知らないまま修理を始めることも可能であるが、その場合は無駄な修理をしてしまったり、間違った修理を行う可能性が高くなる。
【０００７】
なお、上記のようにメモリを搭載したポンプ装置であれば、製造番号や出荷先などの管理情報をメモリから読出して利用できるので便利であるが、その管理情報はあくまでも出荷時のものでしかなく、当然ながら修理の履歴などには対応しておらず、結局は上記同様に故障や修理に際しての適切な対応が不可能である。
【０００８】
この発明は、上記の事情を考慮したもので、当該ポンプ装置に関する情報の容易かつ迅速な入出力を可能とし、これにより故障や修理に際して間違いのない適切な対応が可能な信頼性にすぐれたポンプ装置を提供することを目的とする。
【課題を解決するための手段】
【０００９】
請求項１に係る発明のポンプ装置は、当該ポンプ装置に関わる情報を記憶するためのメモリ、およびこのメモリと外部機器との間の情報入出力用の入出力インタフェースからなるＩＣタグ、を備えている。
【００１０】
請求項２に係る発明のポンプ装置は、請求項１に係る発明において、ＩＣタグのメモリに記憶される情報について限定している。すなわち、ＩＣタグのメモリに記憶される情報は、当該ポンプ装置に使用されている部品の仕様や互換性を表わす情報である。
【００１１】
請求項３に係る発明のポンプ装置は、請求項１に係る発明において、ＩＣタグのメモリに記憶される情報について限定している。すなわち、ＩＣタグのメモリに記憶される情報は、当該ポンプ装置の分解・組立に関するもので、作業の順序およびボルトの締付トルクなどを表わす情報である。
【００１２】
請求項４に係る発明のポンプ装置は、請求項１に係る発明において、ＩＣタグのメモリに記憶される情報について限定している。すなわち、ＩＣタグのメモリに記憶される情報は、上記外部機器から入力され、当該ポンプ装置の納品日および修理履歴などである。
【００１３】
請求項５に係る発明のポンプ装置は、請求項１に係る発明において、ＩＣタグのメモリに記憶される情報について限定している。すなわち、ＩＣタグのメモリに記憶される情報は、当該ポンプ装置の運転積算時間、運転回数、故障履歴などで、当該ポンプ装置に使用されている部品の寿命情報として上記外部機器への出力が可能である。
【００１４】
請求項６に係る発明のポンプ装置は、請求項１に係る発明において、ＩＣタグについて限定している。すなわち、ＩＣタグは、上記入出力インタフェースと上記外部機器との間の情報の入出力を無線伝送により行う非接触型のＩＣタグである。
【００１５】
請求項７に係る発明のポンプ装置は、請求項１に係る発明において、上記ＩＣタグに接続される通信ユニットを備えている。この通信ユニットは、上記ＩＣタグと管理センタのサーバとの間の情報の伝送を通信ネットワークを介して行う。
【発明の効果】
【００１６】
この発明のポンプ装置によれば、当該ポンプ装置に関する情報の容易かつ迅速な入出力を可能である。これにより、故障や修理に際して間違いのない適切な対応が可能となり、信頼性の向上が図れる。
【発明を実施するための最良の形態】
【００１７】
［１］以下、この発明の第１の実施形態について図面を参照して説明する。  
図１において、１はポンプ装置で、メインポンプ２およびサブポンプ３を備えている。これらポンプ２，３は、それぞれ吸込管４から水を吸込み、吸込んだ水をアキュムレータ５を介して給水管６に供給する。給水管６は、建物１０に導入され、フロアごとに複数の分岐管１１に分岐される。これら分岐管１１に、それぞれ複数の蛇口１２が設けられている。
【００１８】
また、ポンプ装置１は計器盤７を備え、その計器盤７の近傍にＩＣタグ２０が設けられている。ＩＣタグ２０は、外部機器たとえば端末３０との間の情報の入出力を無線伝送により行う非接触型の１チップＩＣ（集積回路）であり、樹脂封入により防水・防塵処理されて、筐体内および筐体外周面のいずれかに装着される。筐体内に装着される場合、筐体扉を開けることにより、ＩＣタグ２０が露出する形状となる。筐体外周面に装着される場合、ポンプ装置１の筐体外周面に貼付される。
【００１９】
ＩＣタグ２０の回路構成を図２に示している。ＩＣタグ２０は、主制御部であるＣＰＵ２１、ポンプ装置１に関わる情報を記憶するためのメモリ２２、およびこのメモリ２２と端末３０との間の情報入出力用の入出力インタフェース２３からなる。
【００２０】
端末３０は、メンテナンスや修理を行う作業員が常に携行するノート型コンピュータやＰＤＡ等のいわゆる携帯端末であり、ＩＣタグ２０に近づけて、作業に必要な情報をＩＣタグ２０から無線で読み出したり、任意の情報をＩＣタグ２０に無線で入力することができる。
【００２１】
ＩＣタグ２０のメモリ２２に記憶される情報として、次の（１）〜（４）がある。  
（１）ポンプ装置１に使用されている部品の仕様や互換性を表わす情報（いわゆる互換性情報）。
【００２２】
（２）ポンプ装置１の分解・組立に関わり、作業の順序およびボルトの締付トルクなどを表わす情報（いわゆる分解・組立情報）。
【００２３】
（３）ポンプ装置１の納品日および修理履歴などの情報。
【００２４】
（４）ポンプ装置１の運転積算時間、運転回数、故障履歴などの情報であり、これはポンプ装置１に使用されている部品の寿命情報として必要に応じて外部出力される。
【００２５】
このような構成によれば、作業員は、携行している端末３０をＩＣタグ２０に近づけ、その状態で端末３０を操作することにより、建物１０に保管されていると思われる取扱説明書を探したり、電話で管理センタに問合せするなどの面倒な手間を要することなく、ポンプ装置１のメンテナンスに関わる情報たとえば上記互換性情報や分解・組立情報などを、ポンプ装置１の設置場所で、容易に、迅速に、しかも間違いなく、入手することができる。
【００２６】
とくに、ポンプ装置１が故障すると、集合住宅であれば全住戸が断水したり、工場であれば設備の運転が停止して生産が中断してしまうため、現場での早急な修理が必要となるが、このような緊急を要する状況においても、上記のようにＩＣタグ２０からその場で情報を入手できるので、故障に対する間違いのない適切な処置を施すことができる。これにより、断水や生産停止などの不具合を、未然に防止したり、早期に解消することができる。
【００２７】
また、上記互換性情報を入手することにより、交換部品の品番等の詳細を把握しつつ、その交換部品を携帯電話器などの通信媒体を利用して発注すれば、より正確で早い処置が可能である。
【００２８】
上記分解・組立情報を入手することにより、ポンプ装置１を分解あるいは組立する場合の正確な作業順序やボルトの締付トルクをその場で把握することができ、経験の浅い作業員であっても、間違いのない確実な作業を遂行することができる。
【００２９】
ポンプ装置１の運転積算時間、運転回数、故障履歴などの情報を入手することにより、ポンプ装置１に使用されている部品の寿命を把握することができる。たとえば、定期点検時など、消耗部品の交換時期をその場で正確に把握することが可能であり、よって適切な部品交換を実施することができる。
【００３０】
非接触型のＩＣタグ２０を用い、端末３０との情報の入出力を無線伝送により行うので、配線作業が不要であり、メンテナンスや修理の作業能率が向上する。
【００３１】
実際の修理内容を端末３０からＩＣタグ２０に入力して故障履歴として蓄積しておき、蓄積した故障履歴をＩＣタグ２０から端末３０に読み出すことができるので、過去の修理内容を修理の現場で直ちに把握しながら、新たに起きた故障に対して間違いのない適切な処置を施すことができる。
【００３２】
［２］この発明の第２の実施形態について説明する。  
図３に示すように、ＩＣタグ２０の入出力インタフェース２３に通信ユニット４０が接続されている。通信ユニット４０は、ＩＣタグ２０に付属してポンプ装置１に設けられ、インターネットや公衆無線電話回線等の通信ネットワーク５０を介して、ＩＣタグ２０と端末３０との間の情報の伝送、およびＩＣタグ２０と管理センタ６０のサーバ６１との間の情報の伝送をそれぞれ行う。
【００３３】
このような構成によれば、離れた場所に複数台のポンプ装置１が設置されている場合でも、それらのポンプ装置１を管理センタ６０のサーバ６１によって一括的に管理することができる。たとえば、複数台のポンプ装置１のメンテナンスの実施時期などを見落としなく管理することができ、業務効率が向上する。
【００３４】
他の構成および作用は、第１の実施形態と同じである。よって、その詳細な説明は省略する。
【００３５】
［３］なお、この発明は、上記実施形態そのままに限定されるものではなく、実施段階ではその要旨を逸脱しない範囲で構成要素を変形して具体化できる。たとえば、実施形態では蛇口に応じポンプが自動発停する自動給水装置の一例であるが、タイマーや手動で発停するポンプ装置であってもよい。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００３６】
【図１】各実施形態の構成を示す図。
【図２】第１の実施形態におけるＩＣタグの構成を示すブロック図。
【図３】第２の実施形態におけるＩＣタグおよびその周辺部の構成を示すブロック図。
【符号の説明】
【００３７】
１…ポンプ装置、２…メインポンプ、３…サブポンプ、４…吸込管、５…アキュムレータ、６…給水管、７…計器盤、１１…分岐管、１２…蛇口、２０…ＩＣタグ、２１…ＣＰＵ、２２…メモリ、２３…入出力インタフェース、３０…端末（外部機器）、４０…通信ユニット、５０…通信ネットワーク、６０…管理センタ、６１…サーバ
【図１】
2007192056.tif 000003
【図２】
2007192056.tif 000004
【図３】
2007192056.tif 000005